(57)【特許請求の範囲】
【請求項１】
回転開閉可能な開閉手段を有する前方格納庫と、
前記前方格納庫の背面に配置され、前後方向への移動手段を有する後方格納庫と、
前記前方格納庫の側方の、前後方向に移動可能な側方格納庫と、
を具備し、
前記側方格納庫の奥行き長さは、前記後方格納庫の奥行き長さと略等しく、
前記前方格納庫の開閉時には、前記側方格納庫を後方に移動させて、前記側方格納庫の前方に前記前方格納庫の回転スペースを確保可能であり、
前記後方格納庫の使用時には、前記前方格納庫を回転させて開放し、前記後方格納庫が前方へ移動可能であることを特徴とする収納構造。
【請求項２】
前記開閉手段は、
前記前方格納庫に設けられたヒンジ機構と、
前記前方格納庫の下方に設けられた車輪と、
を具備することを特徴とする請求項１記載の収納構造。
【請求項３】
前記開閉手段は、
前記前方格納庫の上方にドアクローザを更に具備することを特徴とする請求項２記載の収納構造。
【請求項４】
前記前方格納庫は、
前記前方格納庫下方の床部および前記前方格納庫上方の天井部の少なくても一方へ固定可能な固定手段を更に具備することを特徴とする請求項１から請求項３のいずれかに記載の収納構造。
【請求項５】
前記固定手段は、
前記前方格納庫の上方および下方の少なくとも一方に設けられたピンであり、
前記ピンは上下に動作可能であり、
前記ピンの端部を前記床部または天井部に設けられた穴へ差込むことで前記前方格納庫が固定されることを特徴とする請求項４に記載の収納構造。
【請求項６】
前記移動手段は、
前記後方格納庫の上方に設けられたガイドと、
前記後方格納庫の下方に設けられた車輪と、
を具備することを特徴とする請求項１から請求項５のいずれかに記載の収納構造。
【発明の詳細な説明】
【技術分野】
【０００１】
本発明は、収納効率に優れ、物品の出し入れの容易な収納構造に関するものである。
【背景技術】
【０００２】
従来、限られた空間内での格納庫の収納効率を高めるためには、格納庫を２段に設けて、前側の格納庫を移動させて後ろ側の格納庫にアクセスする収納構造が採用されている。
【０００３】
このような収納構造としては、例えば、後ろ側の固定収納棚の前方に、横移動可能な移動収納棚を設け、後ろ側の固定収納棚を使用する際には、前方の移動収納棚を横にスライドさせるスライド書棚がある（特許文献１）。
【０００４】
また、前方に設けられる横移動収納棚の一部を、回転収納棚とし、回転収納棚が収容部から離脱するように収納棚前方の軸を中心に回転可能とした収納装置がある（特許文献２）。
【０００５】
【特許文献１】実開平０２−１１１３３４号公報
【特許文献２】特開２００５−２９６０８５号公報
【発明の開示】
【発明が解決しようとする課題】
【０００６】
しかし、特許文献１のようなスライド書棚では、横スライドする前方収納棚の移動代を確保する必要があるため、必ずしも収納効率が高いとは言えないという問題がある。また、後ろ側の固定収納棚の奥行きが深い場合には、固定収納棚から物品を取り出すことが困難であるという問題がある。
【０００７】
また、特許文献２による収納装置では、特許文献１と同様に、後ろ側の固定収納棚の奥行きが深い場合には、固定収納棚から物品を取り出すことが困難であるという問題がある。また、前側の回転収納棚は、回転軸が回転収納棚の前方であるため、回転収納棚と横移動収納棚との間に、干渉防止用のデッドスペースが生じるという問題がある。また、回転収納棚の回転時には、収納棚前方に大きく回転動作するため、収納棚前方に大きな回転スペースを要するという問題がある。
【０００８】
本発明は、このような問題に鑑みてなされたもので、その目的とするところは、物品の収納効率を高めるとともに、物品が取り出しやすく、狭いスペースでも使用可能であり、物品の使用頻度別に分類して物品の収納が可能な収納構造を提供することにある。
【課題を解決するための手段】
【０００９】
前述した目的を達成するため、本発明は、回転開閉可能な開閉手段を有する前方格納庫と、前記前方格納庫の背面に配置され、前後方向への移動手段を有する後方格納庫と、前記前方格納庫の側方の、前後方向に移動可能な側方格納庫と、を具備し、前記側方格納庫の奥行き長さは、前記後方格納庫の奥行き長さと略等しく、前記前方格納庫の開閉時には、前記側方格納庫を後方に移動させて、前記側方格納庫の前方に前記前方格納庫の回転スペースを確保可能であり、前記後方格納庫の使用時には、前記前方格納庫を回転させて開放し、前記後方格納庫が前方へ移動可能であることを特徴とする収納構造である。
【００１０】
前記開閉手段は、前記前方格納庫に設けられたヒンジ機構と、前記前方格納庫の下方に設けられた車輪と、を具備することが望ましく、この場合、前記開閉手段は、前記前方格納庫の上方にドアクローザを更に具備してもよい。
【００１１】
前記前方格納庫は、前記前方格納庫下方の床部および前記前方格納庫上方の天井部の少なくても一方へ固定可能な固定手段を更に具備することが望ましく、この場合、前記固定手段は、前記前方格納庫の上方および下方の少なくとも一方に設けられたピンであり、前記ピンは上下に動作可能であり、前記ピンの端部を前記床部または天井部に設けられた穴へ差込むことで前記前方格納庫が固定されることが望ましい。
【００１２】
前記移動手段は、前記後方格納庫の上方に設けられたガイドと、前記後方格納庫の下方に設けられた車輪と、を具備してもよい。
【００１３】
本発明によれば、前方格納庫が回転開閉するため、後方格納庫にアクセスが可能であり、後方格納庫が前方へ移動可能であるため、後方格納庫の奥行きが長い場合でも、容易に物品の出し入れができる。また、開閉手段がヒンジ機構と車輪であれば、前方格納庫の回転開閉が容易であり、ドアクローザを用いれば、開閉時のショック等を和らげることも可能である。
【００１４】
また、前方格納庫の上下の少なくても一方が天井部または床部に固定されれば、前方格納庫が地震等の際にも開閉することがなく、前方格納庫が使用者へぶつかり負傷させたり、後方格納庫が移動して物品等が収納棚前に飛び出すことがない。特に、固定手段がピンであり、ピンの上下動作によって、ピンの先端を床部または天井部に設けられた穴へ差込むことで前方格納庫を固定すれば、固定作業が容易であり、確実に前方格納庫を固定することができる。
【００１５】
なお、天井部とは、部屋の天井のみならず、収納構造の天板等も含み、前方格納庫上方の部位全般を指す。また、床部とは、部屋の床のみならず、収納構造の底部等も含み、前方格納庫下方の部位全般を指す。
【００１６】
また、後方格納庫がガイドと車輪によって移動可能であれば、後方格納庫を容易にまっすぐに移動させることができる。前方格納庫の側方に側方格納庫を設けて、前方格納庫を開く際には、側方格納庫を後方へ移動させて、前方格納庫の回転スペースを確保することで、前方格納庫の回転動作の際に、前方格納庫が前方に大きくはみ出さず、狭いスペースでも使用可能な収納構造を得ることができる。
【発明の効果】
【００１７】
本発明によれば、物品の収納効率を高めるとともに、物品が取り出しやすく、狭いスペースでも使用可能であり、物品の使用頻度別に分類して物品の収納が可能な収納構造を提供することができる。
【発明を実施するための最良の形態】
【００１８】
以下、本発明の実施の形態にかかる収納構造１について説明する。図１は、収納構造１を示す斜視図であり、図２は収納構造１の正面図である。なお、図２においては、前方格納庫３ｂを透視し、前方格納庫３ｂの後方に設けられる、後方格納庫７ｄ、７ｅ、７ｆを示す。
【００１９】
収納構造１は、主に、前方格納庫３、後方格納庫７、側方格納庫９等から構成される。収納構造１の下方、側方、上方は、それぞれ、床２７、壁２９、天井３５で覆われている。なお、床２７は、部屋の床のみではなく、収納構造１を覆う床板であってもよい。同様に、壁２９、天井３５は、それぞれ部屋の壁、天井のみならず、収納構造１を覆う壁板や天板等であっても良い。
【００２０】
前方格納庫３は、図２に示すように、前方格納庫３の前面５に複数の収納部を有する。すなわち、前方格納庫３は、前面５より収納部の物品の出し入れを行うことができる。なお、前方格納庫の収納部の態様については、図２に示すものに限られない。また、２台の前方格納庫３ａ、３ｂは、それぞれ前面５を正面に向けて並設される。
【００２１】
前方格納庫３の背面１３近傍の上方および下方には、それぞれヒンジ１７、１８が設けられる。ヒンジ１７、１８は、前方格納庫３の一方の側面８と背面１３との間の辺の近傍に設けられる。一方、前方格納庫３の下面の４隅であって、ヒンジ１７、１８が設けられた部位近傍以外の３隅近傍には、車輪からなるキャスタ４３ａが設けられる。したがって、前方格納庫３は、ヒンジ１７、１８が設けられた部位をつなぐ鉛直方向の軸を中心として、水平方向に回転することができる。すなわち、前方格納庫３は、回転開閉することができる。なお、前方格納庫３の動作については後述する。
【００２２】
後方格納庫７は、前方格納庫３の後方に設けられる。後方格納庫７は、図１、図２に示すように、後方格納庫の前面１４が前方格納庫の背面１３と対向するように設置され、１台の前方格納庫３に対して、複数台（図では３台）の後方格納庫７が設置される。
【００２３】
後方格納庫７は、後方格納庫７の側面１５に収納部が設けられる。すなわち、後方格納庫７は、側面１５より収納部の物品の出し入れを行うことができる。後方格納庫７は、前方格納庫３よりもやや高さが低く、天井３５と後方格納庫７との間には、上板２２が設けられる。なお、上板２２の上方のスペースは、物品の格納にも使用できるが、後述する前面格納庫３の開閉手段であるヒンジ機構やドアクローザ等と後方格納庫７との干渉を防ぐ目的もある。
【００２４】
後方格納庫７の上面後方には、ガイド１９が設けられる。また、後方格納庫７の上部に設けられた上板２２には、ガイド溝２１が設けられる。ガイド１９は、ガイド溝２１に嵌り、ガイド溝２１に沿って移動可能である。一方、後方格納庫７の下方には、車輪からなるキャスタ４３ｂが設けられる。
【００２５】
また、後方格納庫７の下方の床２７にはガイド５１が設けられる。ガイド５１は、後方格納庫７の下方であって、前面１４近傍に設けられ、後方格納庫７の下方に設けられる図示を省略したガイド溝に嵌る。したがって、ガイド５１は図示を省略したガイド溝に沿って移動可能である。すなわち、後方格納庫７は、前後方向に移動可能である。ガイド溝の詳細および後方格納庫７の動作については後述する。
【００２６】
前方格納庫３ａの側方には、側方格納庫９が設けられる。側方格納庫９は、図２に示すように、側方格納庫９の前面２５に複数の収納部を有する。すなわち、側方格納庫９は、前面２５より収納部の物品の出し入れを行うことができる。側方格納庫９は、側方格納庫９の前面２５と、前方格納庫３の前面５が略一致する位置に設けられ、側方格納庫９の側面２３は、前面格納庫３の側面８および後方格納庫７の側面１５に対向するように設けられる。
【００２７】
側方格納庫９の下方には、車輪からなるキャスタ４３ｃが設けられる。また、側方格納庫９の下方の床２７であって、前面２５近傍にはガイド３３が設けられる。ガイド３３は、側方格納庫９の下方設けられ、側方格納庫９の下方に設けられる図示を省略したガイド溝に嵌る。したがって、ガイ３３は図示を省略したガイド溝に沿って移動可能である。すなわち、側方格納庫９は、前後方向に移動可能である。ガイド溝の詳細および側方格納庫９の動作については後述する。
【００２８】
側方格納庫９の奥行き長さは、後方格納庫７の奥行き長さと略同一である。したがって、側方格納庫９の前面２５と前方格納庫３の前面５との位置を合わせて設置すると、側方格納庫９の後方には、前面格納庫３の奥行き長さに対応する退避スペース１１が形成される。
【００２９】
次に、前方格納庫３の動作について説明する。図３は、前方格納庫３の動作を示す斜視図、図４は、前方格納庫の動作を示す平面図、図５は、前方格納庫３の動作を示す正面図の下方の拡大図である。
【００３０】
前方格納庫３は、通常時は閉じており、前面５を前方に向けて設置されている。図３（ａ）、図４（ａ）、図５（ａ）は、ぞれぞれ、前方格納庫３が閉じた状態を示す。この状態においては、使用者は前方格納庫３の前方から、物品の収納等を行なうことができる。
【００３１】
前方格納庫３には回転手段として、ヒンジ１７、１８、キャスタ４３ａ等が設けられる。前方格納庫３を開放する際には、前方格納庫３は、ヒンジ１７、１８を鉛直方向に結ぶ軸を中心として、回転動作する。図３（ｂ）、図４（ｂ）、図５（ｂ）は前方格納庫３が開放した状態を示す図であり、ぞれぞれの図中矢印Ａ方向、矢印Ｂ方向、矢印Ｄ方向は、前方格納庫３が閉じた状態から開放する状態への回転動作方向である。すなわち、前方格納庫３は、前方格納庫３の背面１３と一方の側面８との境界の辺近傍を中心として回転動作する。
【００３２】
前方格納庫３の背面１３の上方には、ドアクローザ３７が設けられる。ドアクローザ３７によって、前方格納庫３の開閉動作が勢い良く行われることが防止され、使用者は、安全な速度で前方格納庫３を開閉動作することができる。また、ドアクローザ３７によれば、前方格納庫３が完全に開いた状態で留めることができるとともに、前方格納庫３が半開き状態とならないように、前方格納庫３をゆっくりと閉じ、前方格納庫３を完全に閉じることができる。なお、ドアクローザ３７は必要に応じて設ければよい。
【００３３】
図５に示すように、前方格納庫３の下方の３箇所にはキャスタ４３ａが設けられる。したがって、前方格納庫３は、ヒンジ１８およびキャスタ４３ａによって荷重が支えられる。また、前方格納庫３ａが開閉動作する際には、前方格納庫３は、ヒンジ１８を中心に略水平方向に円弧を描くように回転するが、前方格納庫３の移動円弧近傍に設けられたキャスタ４３ａによって、容易に回転動作をさせることができる。
【００３４】
前方格納庫３の側面８の下方近傍には、固定部３９が設けられる。固定部３９からはピン４１が突出している。固定部３９は、前方格納庫３を閉じた状態で固定するための部位である。
【００３５】
図６は、図５（ａ）のＣ部拡大図であり、固定部３９の動作を示す図である。固定部３９内には、ピン４１が設けられる。ピン４１は棒状の部材である。ピン４１の端部は固定部３９から突出している。また、ピン４１は固定部３９内を上下方向に移動可能である。ピン４１の下方の床２７には、ピン４１に対応する位置に穴４５が設けられる。穴４５は、ピン４１が挿入可能である。
【００３６】
前方格納庫３が閉じている状態では、図６（ａ）に示すようにピン４１を矢印Ｆ方向へ移動させておく。この際、ピン４１の先端は穴４５に差し込まれる。したがって、前方格納庫３は、ピン４１によって床２７に固定され、開閉動作することができない。すなわち、前方格納庫３は、地震時等においても、勝手に開くことがなく、使用者等への衝突や収納構造１の破損等の恐れがない。
【００３７】
次に、前方格納庫３を開閉させる場合には、図６（ｂ）に示すように、ピン４１を矢印Ｅ方向へ移動させ、ピン４１を穴４５から抜き取る。ピン４１が穴４５から抜けることで、前方格納庫３は移動可能となり、開閉動作を行うことができる。
【００３８】
なお、同様の固定部３９およびピン４１は、前方格納庫３の側面８の上方にも設けることができる。この場合には、天井３５に穴４５を設けておけばよい。前方格納庫３を天井３５に固定する際には、ピン４１を上方に移動させ、ピン４１の先端を天井３５の穴４５に差し込むことで、前方格納庫３が天井に固定され、地震時等においても、前方格納庫３が勝手に開くことがなく、使用者等への衝突や収納構造１の破損等の恐れがない。
【００３９】
次に、後方格納庫７について説明する。図７（ａ）は、後方格納庫７の正面図であり、図７（ｂ）、図７（ｃ）は、それぞれ図７（ａ）のＧ部およびＨ部拡大図である。また、図８は、後方格納庫７の側面図であり、後方格納庫７の動作を示す図である。
【００４０】
後方格納庫７には、移動手段として、ガイド１９、ガイド溝４９、キャスタ４３ｂ等が設けられる。ガイド１９は、後方格納庫７の上面後方に設けられる。ガイド１９は、図７（ｂ）に示すように、Ｔ字断面の部材であり、後方格納庫７の上方に突出する。後方格納庫７の上方の上板２２には、前後方向にガイド溝２１が設けられる。ガイド溝２１の前後方向の長さは、後方格納庫７の奥行き長さと略対応する。また、ガイド溝２１は、Ｔ字状断面のガイドに対応した形状を有し、下方の一部が開口し、ガイド１９の頭部がガイド溝２１に嵌る。
【００４１】
後方格納庫７の下方には、図７（ｃ）に示すように、キャスタ４３ｂが設けられる。キャスタ４３ｂは、後方格納庫７の下面の４隅近傍にそれぞれ設けられる。
【００４２】
後方格納庫７の下方には、後方格納庫７の前後方向にわたって、ガイド溝４９が設けられる。ガイド溝４９はガイド溝２１と同様の形状であり、下方が開口している。ガイド溝４９に対応する位置の床２７にはガイド５１が設けられる。ガイド５１はＴ字状断面であり、後方格納庫７が後方に移動した状態で、後方格納庫７の前面とほぼ一致する位置の床２７に固定される。ガイド５１の頭部はガイド溝４９に嵌る。
【００４３】
図８に示すように、ガイド溝４９の後端近傍には、ストッパ５５が設けられる。ストッパ５５は、ガイド溝４９の内部に設けられる。図８（ａ）に示すように、後方格納庫７が後方に移動した状態（通常時）には、ガイド１９はガイド溝２１の後端近傍に嵌っており、また、ガイド５１は、ガイド溝４９の前端近傍に嵌っている。
【００４４】
後方格納庫７へ物品の出し入れを行う際には（使用時）、後方格納庫７を前方に移動させる（図中矢印Ｉ方向）。後方格納庫７は、ガイド１９がガイド溝２１に沿って移動する。この際、ガイド５１はガイド溝４９に嵌っており、後方格納庫７は、キャスタ４３ｂによって移動する。したがって、後方格納庫７はまっすぐ前方へ移動して、ふらつくことがない。後方格納庫７が前方に完全に移動すると、ストッパ５５がガイド５１と接触し、後方格納庫７のそれ以上の前方への移動が終了する。
【００４５】
次に、側方格納庫９について説明する。図９は、側方格納庫９を示す正面図である。側方格納庫９の下方には、図９に示すように、キャスタ４３ｃが設けられる。キャスタ４３ｃは、側方格納庫９の下面の４隅近傍にそれぞれ設けられる。
【００４６】
側方格納庫９の下方には、側方格納庫９の前後方向にわたって、ガイド溝３１が設けられる。ガイド溝３１は、下方が開口している。ガイド溝３１に対応する位置の床２７にはガイド３３が設けられる。ガイド３３はＴ字状断面であり、ガイド３３の頭部はガイド溝３１に嵌る。
【００４７】
側方格納庫９を移動する際には、ガイド３３がガイド溝３１に沿って移動し、側方格納庫９は、キャスタ４３ｃによって移動する。したがって、側方格納庫９はまっすぐ前方へ移動して、ふらつくことがない。
【００４８】
なお、側方格納庫９にも、後方格納庫７と同様に、図示を省略したストッパを設ければ、側方格納庫９が前方に完全に移動すると、ストッパがガイド３３と接触し、側方格納庫９のそれ以上の前方への移動を停止することができる。更に、後方格納庫と同様のガイド１９、ガイド溝２１を側方格納庫９の上方や側方に設けることもできる。この場合には、ガイド１９を側方格納庫９の上面または側面に設け、ガイド１９と対応する位置の天井３５または壁２９にガイド溝２１を設ければよい。
【００４９】
次に、収納構造１の動作について説明する。図１０、図１１は、収納構造１の動作を示す平面断面図である。
【００５０】
収納構造１は、通常時には図１０（ａ）に示すように、前方格納庫３ａ、３ｂは閉じた状態であり、前方格納庫３ａ、３ｂの後方には、それぞれ、後方格納庫７ａ、７ｂ、７ｃおよび、後方格納庫７ｄ、７ｅ、７ｆが後方に移動した状態で配置されている。また、側方格納庫９は、前方に移動した状態であり、側方格納庫９の前面と前方格納庫３ａ、３ｂの前面とが略一致する位置に配置される。この状態では、使用者は、前方格納庫３ａ、３ｂおよび側方格納庫９に対して、それぞれ前面５および前面２５から、物品の出し入れを行うことができる。したがって、通常、前方格納庫３ａ、３ｂおよび側方格納庫９には、使用頻度の高い物品が収納されることが望ましい。
【００５１】
次に、後方格納庫７ａ、７ｂ、７ｃに対して、物品の出し入れを行う場合を説明する。まず、図１０（ａ）に示すように、側方格納庫９を後方（図中矢印Ｊ方向）に移動させる。すなわち、側方格納庫９の後方に形成されている退避スペース１１に側方格納庫９を移動させる。側方格納庫９が後方に移動すると、側方格納庫９の前面２５は、後方格納庫７の前面と略一致する。したがって、前方格納庫３ａの側方から側方格納庫９が退避されて、側方格納庫９の前方に、前方格納庫３ａの回転スペースが形成される。
【００５２】
次いで、前方格納庫３ａの固定部３９でピン４１を抜いて（図示省略）、前方格納庫３ａを、図示を省略したヒンジを中心に回転させる（図中矢印Ｋ方向）。すなわち、前方格納庫３ａの側方格納庫９側の側面８の後方を中心に回転動作させ、前方格納庫３ａの側面８と側方格納庫９の前面２５とが対向するように前方格納庫３ａを開放する。
【００５３】
次いで、前方格納庫３ａを完全に開放した状態で、図１０（ｃ）に示すように、後方格納庫７ａ、７ｂ、７ｃをそれぞれ前方（図中矢印Ｌ、Ｍ、Ｎ方向）に移動させる。例えば、後方格納庫７ａに物品の出し入れを行う場合には、後方格納庫７ｂ、７ｃは後方に残した状態で、後方格納庫７ａのみを前方（図中矢印Ｌ方向）に移動させる。後方格納庫７ａを完全に前方に引き出せば、後方格納庫７ａの側面１５から物品の出し入れを行うことができる。したがって、通常、後方格納庫７ａ、７ｂ、７ｃには、使用頻度の中程度の物品が収納されることが望ましい。
【００５４】
なお、後方格納庫７ａ、７ｂ、７ｃに対して、物品の出し入れを終えた後は、後方格納庫７ａ、７ｂ、７ｃを全て後方に移動させ、前方格納庫３ａを回転させて閉じ、側方格納庫９を前方に移動させれば、元の状態に戻すことができる。
【００５５】
次に、後方格納庫７ｄ、７ｅ、７ｆに対して、物品の出し入れを行う場合を説明する。まず、図１１（ａ）に示すように、前方格納庫３ａが開放し、後方格納庫７ａ、７ｂ、７ｃが後方に位置する状態とする。次いで、前方格納庫３ｂの固定部３９のピン４１を抜くことで、前方格納庫３ｂの固定を解除する。次に、前方格納庫３ｂを回転させて（図中矢印Ｏ方向）開放する。すなわち、前方格納庫３ｂの前方格納庫３ａ側の側面８の後方を中心に、前方格納庫３ｂを回転動作させ、前方格納庫３ｂの側面８と後方格納庫７ａ、７ｂ、７ｃ等の前面１４とが対向するように前方格納庫３ｂを開放する。この場合には、後方格納庫７ａ、７ｂ、７ｃ前方のスペースが、前方格納庫３ｂの回転スペースとなる。
【００５６】
次いで、前方格納庫３ｂを完全に開放した状態で、図１１（ｂ）に示すように、後方格納庫７ｄ、７ｅ、７ｆをそれぞれ前方（図中矢印Ｐ、Ｑ、Ｒ方向）に移動させる。例えば、後方格納庫７ｄに物品の出し入れを行う場合には、後方格納庫７ｅ、７ｆは後方に残した状態で、後方格納庫７ｄのみを前方（図中矢印Ｐ方向）に移動させる。後方格納庫７ｄを完全に前方に引き出せば、後方格納庫７ｄの側面１５から物品の出し入れを行うことができる。したがって、通常、後方格納庫７ｄ、７ｅ、７ｆには、使用頻度の低い物品が収納されることが望ましい。
【００５７】
以上説明したように、本実施の形態にかかる収納構造１によれば、前方格納庫３が回転開閉するため、後方格納庫７への物品出し入れが容易である。また、前方格納庫３の開閉手段がヒンジ１７、１８およびキャスタ４３ａであるため、前方格納庫３の回転開閉が容易であり、更にドアクローザ３７を用いることで、前方格納庫３の開閉時のショック等を和らげることが可能であるとともに、前方格納庫３を中途半端な開放状態で留めずに、完全に開いた状態または閉じた状態を保持することが可能となる。
【００５８】
また、後方格納庫７が前方へ移動可能であり、側面１５から物品の出し入れが可能であるため、後方格納庫７の奥行きが長い場合でも、容易に物品の出し入れができる。また、後方格納庫７はガイド１９とガイド溝２１に沿って移動可能であるため、後方格納庫７が移動時にふらつくことがなく、容易にまっすぐに移動させることができる。さらに、ストッパ５５によって、後方格納庫７が前方に飛び出すことがない。
【００５９】
また、前方格納庫３の側方に側方格納庫９を設けて、前方格納庫３を開く際には、側方格納庫９を後方へ移動させて、前方格納庫３の回転スペースを確保することで、前方格納庫３の回転動作の際に、前方格納庫３が前方または側方に大きくはみ出さず、狭いスペースでも使用可能な収納構造１を得ることができる。
【００６０】
また、前方格納庫３に固定部３９が設けられ、ピン４１が天井３５または床２７に固定されれば、前方格納庫３が地震等の際にも勝手に開閉することがなく、前方格納庫３が使用者へぶつかり負傷させたり、後方格納庫７が移動して物品等が収納棚前に飛び出すことがない。
【００６１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６２】
例えば、前方格納庫３は１台のみであってもよく、また、１台の前方格納庫３の後方に設けられる後方格納庫７の台数は３台に限られない。また、各格納庫の物品の出し入れ口の向きや大きさは、実施例に限られず、その他の態様であっても構わない。
【００６３】
また、本実施の形態においては、ガイド１９、ガイド３３およびガイド５１の形状は全てＴ字断面形状とし、ガイド溝２１、ガイド溝３１、ガイド溝４９は、対応するガイドの頭部がそれぞれ嵌るように、一部が開口した形状としたが、これらの形状は、これに限られない。すなわち、各ガイドが、それぞれ対応するガイド溝に嵌り、ガイド溝に沿ってガイドが移動可能であれば、いかなる形状であっても良い。
【図面の簡単な説明】
【００６４】
【図１】収納構造１の構成を示す斜視図。
【図２】収納構造１の正面図。
【図３】前方格納庫３の動作を示す斜視図で、（ａ）は閉じた状態、（ｂ）は開いた状態を示す図。
【図４】前方格納庫３の動作を示す平面図で、（ａ）は閉じた状態、（ｂ）は開いた状態を示す図。
【図５】前方格納庫３の動作を示す正面図の下方拡大図で、（ａ）は閉じた状態、（ｂ）は開いた状態を示す図。
【図６】図５のＣ部拡大図で（ａ）はピン４１が穴４５に挿入された状態を示す図、（ｂ）はピン４１が穴４５から抜かれた状態を示す図。
【図７】後方格納庫７を示す正面図で、（ａ）は正面図、（ｂ）は（ａ）のＧ部拡大図、（ｃ）は（ａ）のＨ部拡大図。
【図８】後方格納庫７の動作を示す側面図で、（ａ）は後方に位置する状態、（ｂ）は前方に移動した状態を示す図。
【図９】側方格納庫９を示す正面図。
【図１０】収納構造１の動作を示す図。
【図１１】収納構造１の動作を示す図。
【符号の説明】
【００６５】
１………収納構造
３、３ａ、３ｂ………前方格納庫
５………前面
７、７ａ、７ｂ、７ｃ、７ｄ、７ｅ、７ｆ………後方格納庫
８………側面
９………側方格納庫
１１………退避スペース
１３………背面
１４………前面
１５……側面
１７、１８………ヒンジ
１９………ガイド
２１………ガイド溝
２２………上板
２３………側面
２５………前面
２７………床
２９………壁
３１………ガイド溝
３３………ガイド
３５………天井
３７………ドアクローザ
３９………固定部
４１………ピン
４３ａ、４３ｂ、４３ｃ………キャスタ
４５………穴
４９………ガイド溝
５１………ガイド
５５………ストッパ
【図１】
0005255314.tif 000002
【図２】
0005255314.tif 000003
【図３】
0005255314.tif 000004
【図４】
0005255314.tif 000005
【図５】
0005255314.tif 000006
【図６】
0005255314.tif 000007
【図７】
0005255314.tif 000008
【図８】
0005255314.tif 000009
【図９】
0005255314.tif 000010
【図１０】
0005255314.tif 000011
【図１１】
0005255314.tif 000012